(57)【要約】【課題】順次切替操作の利便性を向上させることができるテレビ受像機及び信号切替方法を得る。【解決手段】順次切替操作に応じて、選局するチャンネルを順次切り替えるテレビ受像機において、テレビジョン放送波を受信し、チャンネル選局指令に基づき、受信チャンネルを選局する受信部と、複数のチャンネル情報が所定の順序で並べられた基本リストが記憶されたＲＯＭ２５２と、各種操作に応じた操作信号を入力する操作信号処理部２２と、通常モードとお好みモードとを切り替える制御部２５とを備え、制御部２５は、基本リストの順序を並び替えた更新リストを生成し、通常モードのとき、順次切替操作信号が入力されると、基本リストの順序に基づき、チャンネル選局指令を受信部に出力し、お好みモードのとき、順次切替操作信号が入力されると、更新リストの順序に基づき、チャンネル選局指令を受信部に出力する。【選択図】図１
2008153740.tif 000002
【特許請求の範囲】
【請求項１】
順次切替操作に応じて、選局するチャンネルを順次切り替えるテレビ受像機において、
テレビジョン放送波を受信し、チャンネル選局指令に基づき、受信チャンネルを選局する受信部と、
複数のチャンネル情報が所定の順序で並べられた基本リストが記憶された記憶部と、
各種操作に応じた操作信号を入力する操作信号処理部と、
前記操作信号処理部から入力されたモード切替操作信号に応じて、通常モードとお好みモードとを切り替える制御部と
を備え、
前記制御部は、
所定の条件に応じて、前記基本リストの順序を並び替えた更新リストを生成し、
前記通常モードのとき、
前記操作信号処理部から順次切替操作信号が入力されると、前記基本リストの順序に基づき、チャンネル選局指令を前記受信部に出力し、
前記お好みモードのとき、
前記操作信号処理部から順次切替操作信号が入力されると、前記更新リストの順序に基づき、チャンネル選局指令を前記受信部に出力することを特徴とするテレビ受像機。
【請求項２】
前記受信部は、デジタル放送波を受信して、該デジタル放送波に含まれる電子番組情報を取得し、
前記制御部は、前記電子番組情報と視聴履歴とに基づき、視聴頻度の多いチャンネル順又は所定の番組情報が多いチャンネル順に前記更新リストを生成することを特徴とする請求項１記載のテレビ受像機。
【請求項３】
前記操作信号処理部は、
順次切替操作が所定時間連続してされたとき、又はモード切替操作がされたとき、前記モード切替操作信号を前記制御部に入力することを特徴とする請求項１又は２記載のテレビ受像機。
【請求項４】
前記制御部は、
前記更新リストを所定時間毎に更新し、
該更新後に、前記お好みモードにおいて前記操作信号処理部から順次切替操作信号が入力されると、
前記更新リストの順序が最初のチャンネルから順に、チャンネル選局指令を前記受信部に出力することを特徴とする請求項１〜３の何れかに記載のテレビ受像機。
【請求項５】
順次切替操作に応じて、入力又は出力する複数の信号を順次切り替える電子機器の信号切替方法であって、
前記複数の信号を識別する情報が所定の順序で並べられた基本リストを取得する基本リスト取得工程と、
所定の条件に応じて、前記基本リストの順序を並び替えた更新リストを生成する更新リスト生成工程と、
モード切替操作に応じて、通常モードとお好みモードとを切り替えるモード切替工程と
を有し、
前記通常モードのとき、順次切替操作されると、前記基本リストの順序に基づき、前記信号を選択し、
前記お好みモードのとき、順次切替操作されると、前記更新リストの順序に基づき、前記信号を選択することを特徴とする信号切替方法。
【発明の詳細な説明】
【技術分野】
【０００１】
本発明は、テレビ受像機及び信号切替方法に関し、特に、信号又はチャンネルを順次切り替える操作に関する。
【背景技術】
【０００２】
一般に、電子機器における信号切替方法は、入力又は出力する複数の信号を順次切り替える操作（以下、「順次切替操作」という）に応じて、所定の順序で入力又は出力する複数の信号を切り替えている。
【０００３】
また、テレビ受像機において、複数の番組の中から利用者の嗜好に適合した番組を効率的に検索及び選択するものとして、例えば、「番組を選択する装置であって、表示手段と、一定量の番組の番組毎に、番組の内容を表す複数の番組情報を保持する番組情報保持手段と、番組の視聴履歴を保持する視聴履歴保持手段と、前記視聴履歴保持手段に保持された視聴履歴に基づいて前記番組情報保持手段に保持された番組情報を前記表示手段に表示させる表示制御手段とを備えることを特徴とする番組選択装置」が提案されている（例えば、特許文献１参照）。
【０００４】
【特許文献１】特開平１１−７５１２８号公報（請求項１）
【発明の開示】
【発明が解決しようとする課題】
【０００５】
しかしながら、従来の信号切替方法は、順次切替操作により、入力又は出力する複数の信号を切り替える場合、切り替える順序は予め決まっており、入力又は出力する信号が多数ある場合、目的とする信号を入力又は出力するのに操作回数が増え利便性が悪い、という問題点があった。
【０００６】
また、従来のテレビ受像機は、順次切替操作によりチャンネルを選局する場合、切り替える順序は予め決まっており、チャンネルが多数ある場合、目的とするチャンネルを選局するのに操作回数が増え利便性が悪い、という問題点があった。
【０００７】
また、従来のテレビ受像機は、複数の番組の中から利用者の嗜好に適合した番組の情報を表示手段等に表示させ、当該番組を選択することはできるが、このような表示手段に表示された情報に基づく操作は、操作が煩雑で利便性が悪い、という問題点があった。
【０００８】
本発明は、このような問題点を解決するためになされたものであり、順次切替操作の利便性を向上させることができるテレビ受像機及び信号切替方法を得ることを目的とする。
【課題を解決するための手段】
【０００９】
本発明に係るテレビ受像機は、順次切替操作に応じて、選局するチャンネルを順次切り替えるテレビ受像機において、テレビジョン放送波を受信し、チャンネル選局指令に基づき、受信チャンネルを選局する受信部と、複数のチャンネル情報が所定の順序で並べられた基本リストが記憶された記憶部と、各種操作に応じた操作信号を入力する操作信号処理部と、前記操作信号処理部から入力されたモード切替操作信号に応じて、通常モードとお好みモードとを切り替える制御部とを備え、前記制御部は、所定の条件に応じて、前記基本リストの順序を並び替えた更新リストを生成し、前記通常モードのとき、前記操作信号処理部から順次切替操作信号が入力されると、前記基本リストの順序に基づき、チャンネル選局指令を前記受信部に出力し、前記お好みモードのとき、前記操作信号処理部から順次切替操作信号が入力されると、前記更新リストの順序に基づき、チャンネル選局指令を前記受信部に出力する。
本発明においては、お好みモードのとき、順次切替操作がされると、所定の条件に応じて基本リストの順序を並び替えた更新リストの順序に基づき、受信チャンネルを選局しており、このため、順次切替操作により、選局するチャンネルを順次切り替える場合、所定の条件に応じた順序でチャンネルを選局でき、順次切替操作の利便性を向上させることができる。
【００１０】
本発明に係るテレビ受像機においては、前記受信部は、デジタル放送波を受信して、該デジタル放送波に含まれる電子番組情報を取得し、前記制御部は、前記電子番組情報と視聴履歴とに基づき、視聴頻度の多いチャンネル順又は所定の番組情報が多いチャンネル順に前記更新リストを生成する。
本発明においては、電子番組情報と視聴履歴とに基づき、視聴頻度の多いチャンネル順又は所定の番組情報が多いチャンネル順に更新リストを生成し、順次切替操作時にこの更新リストの順序に基づきチャンネルを選局しており、このため、順次切替操作によりユーザの視聴頻度又は所定の番組情報が多い順にチャンネルを選局することができる。
【００１１】
本発明に係るテレビ受像機においては、前記操作信号処理部は、順次切替操作が所定時間連続してされたとき、又はモード切替操作がされたとき、前記モード切替操作信号を前記制御部に入力する。
本発明においては、順次切替操作が所定時間連続してされたとき、又はモード切替操作がされたとき、モード切替操作信号を制御部に入力して通常モードとお好みモードとを切り替えており、このため、ユーザの操作により、順次切替操作によるチャンネル選局順序を基本リスト順と更新リスト順とに切り替えることができ、順次切替操作の利便性を向上させることができる。
【００１２】
本発明に係るテレビ受像機においては、前記制御部は、前記更新リストを所定時間毎に更新し、該更新後に、前記お好みモードにおいて前記操作信号処理部から順次切替操作信号が入力されると、前記更新リストの順序が最初のチャンネルから順に、チャンネル選局指令を前記受信部に出力する。
本発明においては、更新リストを更新後に、お好みモードにおいて順次切替操作されると、当該更新後の更新リストの順序が最初のチャンネルから順に選局しており、このため、更新リストが更新された場合、順次切替操作により、所定の条件に応じた順序の最初から順にチャンネルを選局でき、順次切替操作の利便性を向上させることができる。
【００１３】
本発明に係る信号切替方法は、順次切替操作に応じて、入力又は出力する複数の信号を順次切り替える電子機器の信号切替方法であって、前記複数の信号を識別する情報が所定の順序で並べられた基本リストを取得し、所定の条件に応じて、前記基本リストの順序を並び替えた更新リストを生成し、モード切替操作に応じて、通常モードとお好みモードとを切り替え、前記通常モードのとき、順次切替操作されると、前記基本リストの順序に基づき、前記信号を選択し、前記お好みモードのとき、順次切替操作されると、前記更新リストの順序に基づき、前記信号を選択する。
本発明においては、お好みモードのとき、順次切替操作がされると、所定の条件に応じて基本リストの順序を並び替えた更新リストの順序に基づき、信号を選択しており、このため、順次切替操作により、入力又は出力する複数の信号を切り替える場合、所定の条件に応じた順序で信号を選択でき、順次切替操作の利便性を向上させることができる。
【発明を実施するための最良の形態】
【００１４】
実施の形態１．
図１は実施の形態１に係るデジタル放送受信機の構成を示すブロック図である。テレビ受像機であるデジタル放送受信機１は、図１に示されるように、アンテナ１０、チューナー１１、デマルチプレクサ（ＤＥＭＵＸ）１２、映像信号処理回路１３、ＯＳＤ（On Screen Display）処理回路１４、表示デバイス１５、音声信号処理回路１６、アンプ１７、スピーカー１８、リモコン２１、操作信号処理部２２、及び制御部２５を備えている。そして、チューナー１１、デマルチプレクサ１２、映像信号処理回路１３、ＯＳＤ処理回路１４、音声信号処理回路１６、操作信号処理部２２、及び制御部２５は、バス２６を介して接続されており、制御部２５により回路全体が制御されている。さらに、制御部２５は、ＣＰＵ２５１、このＣＰＵ２５１が実行すべきプログラムや固定データ、後述する基本リストなどが記憶されたＲＯＭ（Read Only Memory）２５２、ＣＰＵ２５１のワークエリアなどとして機能するＲＡＭ（Random Access Memory）２５３、後述する更新リスト等のデータが記録される不揮発性メモリであるＮＶＲＡＭ（Non Volatile RAM）２５４によって構成されている。尚、チューナー１１及びデマルチプレクサ１２は、本発明の受信部に相当し、ＲＯＭ２５２は、本発明の記憶部に相当する。
【００１５】
アンテナ１０は、デジタル放送波を受信して、受信した信号をチューナー１１に出力する。チューナー１１は、復調回路、逆インタリーブ回路、誤り訂正回路等を備えており、映像・音声データを含む高周波ディジタル変調信号のうちから、後述する動作により、制御部２５からのチャンネル選局指令に基づき、受信チャンネルを選局して、選局したチャンネルに相当する特定周波数の信号を取り出す処理をする。すなわち、ディジタル放送の複数のトランスポンダの中から一つを選択する処理を行う。尚、チューナー１１は、例えばＢＳ（Broadcasting Satellite）チューナー、ＣＳ（Communication Satellite）チューナー、地上デジタルチューナーの何れか又は全ての機能を備えるものである。デマルチプレクサ１２は、チューナー１１により選択されたトランスポート・ストリームを、ＭＰＥＧ２（Moving Picture Experts Group2）のビデオストリーム、オーディオストリーム、及びＰＳＩ／ＳＩ（Program Specific Information/Service Information）等に分離し、ビデオストリームは映像信号処理回路１３に出力し、オーディオストリームは音声信号処理回路１６に出力し、ＰＳＩ／ＳＩに含まれる電子番組情報（番組名、番組開始時刻、番組内容情報、番組ジャンル情報等）等は、例えばバス２６を介して制御部２５に出力する。
【００１６】
映像信号処理回路１３は、ビデオデコーダ等を内蔵しており、そのビデオストリームを信号処理して、入力された可変長符号を復号して量子化係数や動きベクトルを求め、逆ＤＣＴ変換や動きベクトルに基づく動き補償制御等を行って、画面表示用の映像信号を表示デバイス１５に出力する。また、ＯＳＤ処理回路１４を経た映像データを受け取ってＤ／Ａ変換を行い、例えばコンポジット映像信号に変換し、画面表示用の映像信号に代えて又は画面表示用の映像信号と合成して表示デバイス１５に出力する。表示デバイス１５はその映像信号による映像を表示する。ＯＳＤ処理回路１４は、制御部２５から出力指示された、文字情報や色情報に基づく映像データを生成する回路であり、このＯＳＤ処理回路１４により、例えば電子番組情報に基づいてＥＰＧ（Electronic Program Guide）表示、データ放送表示、メニュー画面表示等、各種映像データを映像信号処理回路１３へ出力する。音声信号処理回路１６は、デマルチプレクサ１２から入力されたオーディオストリームを信号処理してＤ／Ａ変換し、アンプ１７を介してスピーカー１８に出力して音声を発生させる。
【００１７】
リモコン２１は、制御部２５に対して各種指令を送出するための送信機であり、リモコン２１に設けられた各種キー（後述）を操作すると、そのキーに対応した指令を意味する信号、例えば信号光（リモコン信号）が送出される。操作信号処理部２２は、リモコン２１からの信号光を受光し、これを電気信号に変換して、リモコンキーの各種操作に応じた操作信号を制御部２５へ入力する。
【００１８】
図２は実施の形態１に係るリモコンの主要部を模式的に示した図である。リモコン２１には各種キーが設けられており、図に示すように、チューナー選択キー２１１、ダイレクト選局キー２１２、カーソルキー２１３、エンターキー２１４、お好みキー２１５、チャンネルＵＰキー２１７、チャンネルＤＯＷＮキー２１８、メニューキー２１９、その他の操作キーが設けられている。
【００１９】
このような構成により、ユーザがリモコン２１を操作して見たいチャンネルを選択すると、その操作信号が操作信号処理部２２を介して制御部２５に入力され、制御部２５は、操作信号に応じたチャンネルを選局させるよう、チューナー１１にチャンネル選局の指示し、チューナー１１は、指示されたチャンネルに相当するトランスポンダを選択して、それがデマルチプレクサ１２を介して、映像信号処理回路１３及び音声信号処理回路１６に出力され、映像信号処理回路１３は上述の信号処理を施して表示デバイス１５に選局されたチャンネルの映像を表示させる。また、音声信号処理回路１６はスピーカー１８に選局されたチャンネルの音声を出力させる。
【００２０】
上述したような、ユーザがリモコン２１を操作して見たいチャンネルを選択する操作には、リモコン２１の１〜１２までの数字に割り当てられたチャンネルを選択するダイレクト選局キー２１２によるダイレクト選局、リモコン２１のダイレクト選局キー２１２を用いて１〜１０（０）のキーで３桁のチャンネル番号を入力する３桁選局、リモコン２１のチャンネルＵＰキー２１７又はチャンネルＤＯＷＮキー２１８によるアップダウン選局、又はその他ＥＰＧから選局する方法などがある。このような選局する方法のうち、順次切替操作であるアップダウン選局による方法でチャンネルを選局する場合に用いる基本リストについて図３により説明する。
【００２１】
図３は各放送に対応する基本リストの構成例を示す図である。制御部２５のＲＯＭ２５２には、予め複数のチャンネル情報が所定の順序で並べられた情報のリスト（以下、「基本リスト」という）が記憶されている。基本リストは、例えば図３に示すように、ＢＳ（図３（ａ））、ＣＳ（図３（ｂ））、又は地上デジタル放送（図３（ｃ））の各放送に対応する複数のチャンネル情報が、例えばチャンネル番号順などの所定順序で並べられた情報である。このような基本リストを用いて、制御部２５は、操作信号処理部２２からチャンネルＵＰキー２１７又はチャンネルＤＯＷＮキー２１８の操作信号が入力されると、各放送に対応する基本リストの順序に基づいたチャンネル選局指令をチューナー１１に対して出力する。このような動作により、リモコン２１のチャンネルＵＰキー２１７又はチャンネルＤＯＷＮキー２１８が操作される度に、基本リストのチャンネル順でチャンネルが選局されることとなる（以下、基本リストに基づいたチャンネル選局モードを「通常モード」という）。
【００２２】
次に、ユーザの嗜好に応じたチャンネルの順序付けについて説明する。
制御部２５は、デマルチプレクサ１２から入力されたＰＳＩ／ＳＩに含まれるチャンネル情報又は電子番組情報と視聴履歴情報とに基づき、基本リストのチャンネル順を、視聴頻度の多いチャンネル順に並び替えて、このチャンネル順序の情報のリスト（以下、「更新リスト」という）をＮＶＲＡＭ２５４に記憶させ、所定時間経過毎又は所定の操作により逐次更新する。尚、更新リストの順序はこれに限らず、ユーザの嗜好に適合した順で良く、所定の番組情報が多いチャンネル順、例えば、所定ジャンルの番組の放送が多いチャンネル順、又は所定の出演者が出演する番組の放送が多いチャンネル順などによりソートしても良い。尚、このような利用者の嗜好に適合したチャンネル又は番組を順序付けて選択するものは公知（例えば、特許文献１参照）であるので、詳細の説明は省略する。
【００２３】
図４は実施の形態１に係る更新リストの構成とデータ例である。図４に示すように、更新リストは、チャンネル総数（ｍ）までの順位が格納される「順位」列、チャンネル選局番号である「Ｃｈ」列、及びこのチャンネルの放送種別の情報である「チューナー種別」列から構成される。尚、図４においては、「順位」列の昇順にソートされた場合を示したが、本発明はこれに限らず、基本リストの各チャンネルに、順位に関する情報を付加したもので良く、例えば、視聴頻度に応じたポイント（回数等）の情報を付加して、このポイント数により順位を判断しても良い。
【００２４】
図５は実施の形態１に係るお好みモードにおけるチャンネル選局の動作フローチャートである。次に、この更新リストに基づくチャンネル選局の動作について図５に基づき、図４を参照しながら以下に説明する。
まず、ユーザにより、モード切替操作としてリモコン２１のお好みキー２１５を操作されると、操作信号処理部２２はモード切替操作信号を制御部２５へ入力する。制御部２５は、このモード切替操作信号に応じてチャンネル選局モードを、通常モードから、更新リストに基づくチャンネル選局モード（以下。「お好みモード」）に切り替える。尚、このお好みモードへの切り替えは、お好みキー２１５の操作に限らず、所定の操作キー（例えば、チャンネルＵＰキー２１７又はチャンネルＤＯＷＮキー２１８）を所定時間（例えば、３秒）連続して押下することにより、お好みモードに切り替えても良い。
【００２５】
制御部２５は、チャンネル選局モードが、お好みモードであるか否かを判断し（Ｓ１０１）、お好みモードの場合には、カウンタ（ｎ）に「１」を設定し、更新リストの順位が１番目のチャンネルＣｈ（１）を選局し、チューナー１１に対して選局の指示をする（Ｓ１０２）。例えば、図４に示す更新リストの場合、順位「１」のＣｈ「０４１」，局名「ＣＣｄ」が選局される。
次に、制御部２５は、お好みモードが解除されたか否かを判断し（Ｓ１０３）、解除された場合はお好みモードの処理を終了する。ここで、お好みモードの解除は、リモコン２１のお好みキー２１５を操作することにより行う。つまり、お好みキー２１５の操作毎に通常モードとお好みモードとが切り替わることになる。尚、お好みモードが解除は、これに限らず、設定時と同様、所定の操作キーの所定時間連続して押下することによって解除しても良く、また、お好みモード設定時から所定の時間経過後に解除しても良い。また、当該デジタル放送受信機１の電源が遮断された場合は、お好みモードが解除される。
【００２６】
制御部２５は、お好みモードが解除されていないと判断した場合は、順次切替操作であるリモコン２１のチャンネルＵＰキー２１７又はチャンネルＤＯＷＮキー２１８の操作があったかどうかを判断し（Ｓ１０４）、当該操作がない場合はステップＳ１０３に戻り、操作があるまでステップＳ１０３及びＳ１０４の動作を繰り返す。
一方、チャンネルＵＰキー２１７又はチャンネルＤＯＷＮキー２１８の操作があった場合、それがチャンネルＵＰキー２１７又はチャンネルＤＯＷＮキー２１８の何れであるかを判断する（Ｓ１０５）。
【００２７】
チャンネルＵＰキー２１７の操作と判断した場合は、カウンタ（ｎ）をインクリメントしてｎ＝ｎ＋１とし（Ｓ１０６）、この値がｎ≦ｍであるかどうかを判断して（Ｓ１０７）、ｎ≦ｍであると判断した場合、更新リストの順位がｎ番目のチャンネルＣｈ（ｎ）を選局し、チューナー１１に対して選局の指示をする（Ｓ１１４）。例えば、図４に示す更新リストの場合において、カウンタ（ｎ）に「２」がセットされたとき、順位「２」のＣｈ「０８１」，局名「ＧＧｄ」が選局される。
一方、ｎの値がｎ≦ｍでないと判断した場合、即ち、ｎの値が更新リストのチャンネル総数（ｍ）より大きい場合、カウンタ（ｎ）に「１」をセットし、更新リストの順位が１番目のチャンネルＣｈ（１）を選局し、チューナー１１に対して選局の指示をする（Ｓ１１４）。
【００２８】
ステップＳ１０５にて、チャンネルＤＯＷＮキー２１８の操作と判断した場合、カウンタ（ｎ）をデクリメントしてｎ＝ｎ−１とし（Ｓ１０９）、この値がｎ＞０であるかどうかを判断して（Ｓ１１０）、ｎ＞０であると判断した場合、更新リストの順位がｎ番目のチャンネルＣｈ（ｎ）を選局し、チューナー１１に対して選局の指示をする（Ｓ１１４）。
一方、ｎの値がｎ＞０でないと判断した場合、即ち、ｎの値が０以下の場合、カウンタ（ｎ）に「ｍ」をセットし、更新リストの順位がｍ番目、つまり最終順位のチャンネルＣｈ（ｍ）を選局し、チューナー１１に対して選局の指示をする（Ｓ１１４）。
【００２９】
次に、制御部２５は、お好みモードが解除されたか否かを判断し（Ｓ１１５）、解除された場合はお好みモードでのチャンネル選局の処理を終了し、解除されていない場合は、ステップＳ１０４に戻り、上述したステップＳ１０４〜Ｓ１１４までの動作を繰り返す。
【００３０】
尚、制御部２５は、更新リストを所定時間毎に更新し、更新後に、順次切替操作がされると、更新リストの順序が最初のチャンネルから順に、チャンネル選局指令をチューナー１１に出力する。即ち、制御部２５は、上述したステップＳ１０４〜Ｓ１１４の動作の際、更新リストを更新したときは、カウンタ（ｎ）の値をリセット（ｎ＝１）する。
【００３１】
このような動作により、お好みモードに移行したとき、まず、更新リストの順位が１番目のチャンネルを選局し、リモコン２１のチャンネルＵＰキー２１７の操作毎に、更新リストの昇順でチャンネルを選局し、チャンネルＤＯＷＮキー２１８の操作毎に、更新リストの降順でチャンネルを選局する。例えば図４に示すように、例えば、図４に示す更新リストの場合において、カウンタ（ｎ）に「ｋ」がセットされ順位ｋ番目のチャンネル「０２１」，局名「ＢＢｄ」が選局された後、チャンネルＵＰキー２１７の操作があると、順位ｋ＋１番目のチャンネル「１０１」，局名「ＡＡｂｓ」が選局され、チャンネルＤＯＷＮキー２１８の操作があると、順位ｋ−１番目のチャンネル「００６」，局名「ＱＱｃｓ」が選局される。
また、更新リストのｍ番目が選局された後にチャンネルＵＰキー２１７の操作があると１番目のチャンネルに戻り、更新リストの１番目が選局された後にチャンネルＤＯＷＮキー２１８の操作があるとｍ番目のチャンネルを選局して、更新リストのチャンネル選局を繰り返すこととなる。
【００３２】
尚、上記説明では、お好みモードに移行したとき、まず、更新リストの順位が１番目のチャンネルを選局したが、お好みモードを解除後、再度、お好みモードに移行した場合、前回のチャンネル選局情報を保持し、更新リストのうち、保持したチャンネルの次順から選局しても良い。
【００３３】
以上のように本実施の形態１においては、電子番組情報と視聴履歴とに基づき、視聴頻度の多いチャンネル順又は所定の番組情報が多いチャンネル順に更新リストを生成し、お好みモードのとき、リモコン２１のチャンネルＵＰキー２１７又はチャンネルＤＯＷＮキー２１８の操作がされると、更新リストの順序に基づき、受信チャンネルを選局しており、このため、リモコン２１のチャンネルＵＰキー２１７又はチャンネルＤＯＷＮキー２１８の操作により、ユーザの視聴頻度又は所定の番組情報が多い順にチャンネルを選局することができ、操作の利便性を向上させることができる。
【００３４】
また、ユーザの嗜好に適合した番組の情報を表示手段等（例えば、表示デバイス１５）に表示させることなく、リモコン２１のチャンネルＵＰキー２１７又はチャンネルＤＯＷＮキー２１８の操作により、ユーザの嗜好に適合した順にチャンネルを選局しているので、表示手段等に表示された情報に基いて操作する必要が無く、高齢者や機械に苦手なユーザなどにとって容易に操作することができ、さらに、少ない操作数でユーザの嗜好に適合したチャンネルを選局することができる。
【００３５】
尚、本実施の形態１においては、デジタル放送波に含まれる電子番組情報を用いて基本リストのチャンネル順を並び替えて更新リストを生成したが、電子番組情報を抽出する方法はこれに限られるものではなく、例えばインターネットを介して提供される番組情報を取得しても良い。これにより、放送波に番組情報が含まれていない場合や、これを抽出することができない場合であっても、インターネットを介して別途番組情報を取得し、同様の機能を実現することができる。また、これにより、アナログ放送波を受信するテレビ受像機にも本発明を適用できる。
【００３６】
尚、本実施の形態１においては、テレビ受像機について説明したが、本発明はこれに限るものでなく、順次切替操作に応じて、入力又は出力する複数の信号を順次切り替える電子機器でも良く、例えば、プロジェクタの入力チャンネルを、使用頻度に応じた、更新リストを生成して、所定の操作に応じて、更新リストに基づき、入力切替のチャンネルの昇順又は降順で切り替えても良い。
【図面の簡単な説明】
【００３７】
【図１】実施の形態１に係るデジタル放送受信機の構成を示すブロック図である。
【図２】実施の形態１に係るリモコンの主要部を模式的に示した図である。
【図３】各放送に対応する基本リストの構成例を示す図である。
【図４】実施の形態１に係る更新リストの構成とデータ例である。
【図５】実施の形態１に係るお好みモードにおけるチャンネル選局の動作フローチャートである。
【符号の説明】
【００３８】
１  デジタル放送受信機、１０  アンテナ、１１  チューナー、１２  デマルチプレクサ、１３  映像信号処理回路、１４  ＯＳＤ処理回路、１５  表示デバイス、１６  音声信号処理回路、１７  アンプ、１８  スピーカー、２１  リモコン、２２  操作信号処理部、２５  制御部、２６  バス、２１１  チューナー選択キー、２１２  ダイレクト選局キー、２１３  カーソルキー、２１４  エンターキー、２１５  お好みキー、２１７  チャンネルＵＰキー、２１８  チャンネルＤＯＷＮキー、２１９  メニューキー、２５１  ＣＰＵ、２５２  ＲＯＭ、２５３  ＲＡＭ、２５４  ＮＶＲＡＭ。
【図１】
2008153740.tif 000003
【図２】
2008153740.tif 000004
【図３】
2008153740.tif 000005
【図４】
2008153740.tif 000006
【図５】
2008153740.tif 000007